(57)【要約】【課題】  簡単に加工でき、しかも斬新性、奇抜性、装飾性を高くでき、変化や多様性に富み、デザインを多種多様化できるようにする。【解決手段】  外周の板厚の面を装飾部１に形成している化粧板であって、上記の装飾部１を、色の異なる層２を略年輪状に積層して形成する。また内側の層２を側方に露出させる切欠き部３を有して形成する。この切欠き部３は、周方向に延びる溝で環状に形成すると良い。またこの切欠き部３は、傾斜面状に形成するのでも良い。【選択図】      図１
2005211236.tif 000002
【特許請求の範囲】
【請求項１】
外周の板厚の面が装飾部に形成されている化粧板であって、上記の装飾部が色の異なる層を略年輪状に積層させて形成されると共に、内側の層を側方に露出させる切欠き部を有して形成されていることを特徴とする化粧板。
【請求項２】
請求項１記載の化粧板であって、切欠き部が、周方向に延びる溝で環状に形成されていることを特徴とする化粧板。
【請求項３】
請求項１記載の化粧板であって、切欠き部が、傾斜面状に形成されていることを特徴とする化粧板。
【発明の詳細な説明】
【技術分野】
【０００１】
本発明は化粧板に関し、更に詳しくは例えばテーブル天板やカウンター天板、或いは収納庫の扉や引き出しの前板等に適するよう形成した化粧板に関するものである。
【背景技術】
【０００２】
従来この種の化粧板としては、外周面に、本体とは異なる材質でできたエッジ用化粧材を、この化粧材の断面部分が表面と面取り部の接続部にあらわれるように貼り付け、エッジ用化粧材の裏打ち材に特徴ある色を付与することで、アクセントを付けるよう形成しているものがある（例えば特許文献１参照）。
【０００３】
ところでこの種の化粧板は、屋内の調度品に利用するものであるから、製造コストを抑えながら、インテリア性が高くなるよう、また従来品には見られない斬新性や奇抜性、面白みを有するよう形成されているのが望ましい。
しかるに従来品の場合は、上記の通り、エッジ用化粧材を、この化粧材の断面部分が表面と面取り部の接続部にあらわれるように貼り付け、裏打ち材を使用して化粧加工するものであったから、上記の接続部に裏打ち材の色が一色露出するだけであった。従ってこれによると、斬新性、奇抜性、装飾性の面で不充分であり、変化や多様性に富む、多種多様なデザインの化粧板の提供に限界があった。
【特許文献１】特開平５−１８１６２号公報
【発明の開示】
【発明が解決しようとする課題】
【０００４】
本発明は、このような従来技術の問題点に鑑み、提案されたものである。
従って本発明の解決しようとする技術的課題は、加工が簡単で、しかも斬新性、奇抜性、装飾性を高くでき、変化や多様性に富み、デザインを多種多様化できるよう形成した化粧板を提供することにある。
【課題を解決するための手段】
【０００５】
本発明は、上記の課題を解決するため、次のような技術的手段を採る。
即ち本発明は、図１等に示されるように、外周の板厚の面が装飾部１に形成されている化粧板であって、上記の装飾部１が色の異なる層２を略年輪状に積層させて形成されると共に、内側の層２を側方に露出させる切欠き部３を有して形成されていることを特徴とする（請求項１）。
【０００６】
本発明の場合、色の異なる層２の数は任意である。この層２は、具体的には色付きの粘着テープを重ねて貼ったり、吹き付けや刷毛で塗料を塗ることにより実現される。ここで、略年輪状とは、板の表裏（上下）の面から装飾部１を見たとき、色の異なる層２が同心状に積層されている、ということを意味する。従って本発明の場合、板の外形は、円形には限られず、その他例えば楕円形や長方形、正方形等でも良い。
【０００７】
また本発明の化粧板は、切欠き部３が、周方向に延びる溝で環状に形成されているのが好ましい（請求項２）。
なぜならこれによると、周方向の全長にわたって内側の層２を露出させることができるからである。この場合、切欠き部３の本数、隣り合う切欠き部３の間隔は、任意である。ここで、環状とは、溝が板厚の面にぐるっと形成されている状態を意味する。また本発明の場合、溝の断面形状は内側の層２が露出される状態であれば、凹形に限定されるものではなく、例えばＶ字形等でも良い。また本発明は、溝の数や幅は任意であり、幅を違えた複数の溝で形成するのでも良い。
【０００８】
また本発明の化粧板は、図４〜図６に示されるように、切欠き部３が、傾斜面状に形成されているのでも良い（請求項３）。
なぜならこれによると、内側の層２が勾配の付いた状態で露出し、デザイン上、一層、斬新性や奇抜性、面白みを発揮し、また本発明品をテーブルの天板や、カウンターの天板に実現したとき、切欠き部３を斜め上方から見易くなり、切欠き部３の特色を看者に印象付けることができるからである。
【発明の効果】
【０００９】
本発明は、外周の板厚の面を装飾部に形成している化粧板であって、上記の装飾部を、色の異なる層を略年輪状に積層して形成すると共に、切欠き部を介して内側の層が側方に露出するよう形成しているものである。
従って本発明の場合は、簡単な加工で、装飾部のデザインを多種多様化でき、斬新性、奇抜性、インテリア性の高い化粧板を提供できる。
【発明を実施するための最良の形態】
【００１０】
以下、本発明を実施するための最良の形態を説明する。
本発明は、図１等に示されるように、外周の板厚の面が装飾部１に形成されている。そしてこの装飾部１が、色の異なる層２を略年輪状に積層させて形成されると共に、内側の層２を側方に露出させる切欠き部３を有して形成されている。この実施形態の本発明は、テーブルの円形状の天板に実現されているものである。
【００１１】
上記の色の異なる層２は、この実施形態では具体的にはパーティクルボードの板厚の面に、色付きの粘着テープが重ねて貼られ、ボードの表裏（上下）の面から見たとき、３層に積層されて年輪状に形成されている。
【００１２】
上記の切欠き部３は、周方向の全長にわたって内側の層２を露出させるよう、周方向に延びる溝で環状に形成されている。この切欠き部３としての溝は、この実施形態では図３に示されるように、１番外側の層２が板厚の幅方向にわたって３本等間隔に且つ同じ幅で形成され、その内側の２番目の層２が板厚の幅方向の真ん中に、１番外側の層２と共に削り取られて１本形成されている。従って２番目の層２の色は、板厚の幅方向において、１番外側の層２の上下位置の溝を介して上下に２本表れ、３番目の層２の色は、真ん中に１本表れる。
【００１３】
次に本発明の化粧板の加工の一例を説明する。
先ず作業者は、パーティクルボードを円形に加工し、表面に例えば白色で硬質性の化粧シート（図示せず）を貼る。次に作業者は、板厚の面に色の異なる粘着テープを貼り重ね、色の異なる層２を３層形成する。そしてパーティクルボードをルーター（ROUTER）のワーク載置面に水平状に吸着させて置き、周面に刃を有し縦軸を中心に回転するフライスをプログラム通りに移動させ、周方向に延びる環状の溝を形成する。この加工は、この実施形態では内側の２番目の層２が露出するよう、板厚の幅方向において１番外側の層２の上下位置を削り取り、また内側の３番目の層２が露出するよう、１番目の層２と、２番目の層２の真ん中を一緒に削り取ることで行なわれる。これにより、この本発明品では、板厚の方向において、１番外側の層２の色がリング状に４本露出し、真ん中に内側の３番目の層２の色がリング状に１本露出し、またこれを挟んでその上下に内側の２番目の層２の色がリング状に２本露出して表れる。
【００１４】
以上の処において、本発明は、図４〜図６に示されるように、切欠き部３が、傾斜面状に形成されているのでも良い。この実施形態では、下面４から上面５の内側に向かって傾斜状に形成されている。従って切欠き部３は、色の層２の見え方が側方から見て最下段に１番外側の層２、中段に２番目の層２、最上段に最も内側の３番目の層２の色が露出する状態に形成される。なおこの本発明の場合は、天板や扉板に利用する際、傾斜面状の切欠き部３を上向きにするか下向きにするかは任意である。
【００１５】
また切欠き部３は、その他例えば図７Ａに示されるように、板厚の方向の全長、または同図Ｂに示されるように、端を残した状態に溝加工され、内側の２番面、３番目の層２が例えば交番的に露出するよう形成されるのでも良い。また図８に示されるように、切欠き部３は、溝が整層切り石積み状に形成されるのでも良い。これらの場合は、デザインの多種多様化を一層図ることができる。
【図面の簡単な説明】
【００１６】
【図１】本発明の化粧板の好適な一実施形態を示す一部を切欠した要部斜視図である。
【図２】同上の化粧板で形成したテーブルの正面図である。
【図３】同上の化粧板の要部拡大断面図である。
【図４】同上の化粧板の他の実施形態を示す一部を切欠した要部斜視図である。
【図５】図４の化粧板で形成したテーブルの正面図である。
【図６】図４の化粧板の要部拡大断面図である。
【図７】Ａ、Ｂとも本発明の化粧板の他の実施形態を示す一部を切欠した要部正面図である。
【図８】本発明の化粧板の更に他の実施形態を示す一部を切欠した要部正面図である。
【符号の説明】
【００１７】
１    装飾部
２    色の異なる層
３    切欠き部
４    下面
５    上面
【図１】
2005211236.tif 000003
【図２】
2005211236.tif 000004
【図３】
2005211236.tif 000005
【図４】
2005211236.tif 000006
【図５】
2005211236.tif 000007
【図６】
2005211236.tif 000008
【図７】
2005211236.tif 000009
【図８】
2005211236.tif 000010